(57)【要約】【課題】サーキュレータにおいて感温部材などを用いることなく、広角な吹き出しを実現すること。【解決手段】クロスフローファン２とそれをスタビライザ３とリアケーシング４とからなる送風路を２つ備えることにより、通常の２倍の吹出し角度を実現し、広角な吹き出しが可能となる。【選択図】図１
2006038356.tif 000002
【特許請求の範囲】
【請求項１】
ブレードを複数枚配設したクロスフローファンと、前記クロスフローファンを内包する、
スタビライザ及びリアガイダから構成される送風路を２つ有し、それら２つの送風路が本体の中心線について対称で、それぞれ反対の方向に吸込み口、吹出し口を有する構成をなしていることを特徴とするサーキュレータ。
【請求項２】
クロスフローファンと平行であって送風路外に本体の中心線について対称に２本の蛍光ランプを配設して、照明機具としての機能を持たせたことを特徴とする請求項１に記載のサーキュレータ。
【請求項３】
クロスフローファンと平行であって送風路外、２つのリアガイダの間に一本の蛍光ランプを配設して、照明機具としての機能持たせたことを特徴とする請求項１に記載のサーキュレータ。
【請求項４】
エアコンと連携制御によって、クロスフローファンの回転数、上下羽根、左右羽根の少なくともいずれかを制御するようにしたことを特徴とする請求項１〜３のいずれか１項に記載のサーキュレータ。
【請求項５】
送風路外に温度センサ配することを特徴とした請求項４の記載のサーキュレータ。
【発明の詳細な説明】
【技術分野】
【０００１】
本発明はクロスフローファンを２つ備えることにより、広角に吹出せるようにしたサーキュレータに関するものである。
【背景技術】
【０００２】
従来、この種のサーキュレータとしては、感温変化部材を用いてクロスフローファンの流れ方向を正逆転制御させることによって広角な送風を実現しようとしている（例えば、特許文献１参照）。
【０００３】
図６は、特許文献１に記載された従来のサーキュレータを示すものである。クロスフローファン２とクロスフローファン２の内部に設けられた円弧状の案内羽根１２とで構成され、この案内羽根１２は温度変化によりわん曲方向が逆になる形状記憶合金などの感温部材で構成されている。周囲温度が設定温度以上では案内羽根１２は左側に凹部を有する状態で形状が維持されていて、案内羽根１２の外側の空気の流れは、矢印Ａで示す方向となる。また、周囲温度が設定温度以下では案内羽根１２が感温部材で構成されているため、熱変形して右側に凹部を形成する形状となり、案内羽根１２の外側の空気の流れは、矢印Ｂに示す方向の流れとなる。
【特許文献１】特開２００２−３６４８９４号公報
【発明の開示】
【発明が解決しようとする課題】
【０００４】
しかしながら、前記従来の構成では、案内羽根１２が温度に依存した形状記憶合金で構成された感温部材を使用しているので、温度変化により意図しない気流の変化が発生するという課題を有していた。
【０００５】
本発明は、前記従来の課題を解決するもので、固定された送風路を有し、広角な送風を実現したサーキュレータを提供することを目的とする。
【課題を解決するための手段】
【０００６】
前記従来の課題を解決するために、本発明のサーキュレータは、クロスフローファンを内包する、スタビライザ及びリアケーシングをから構成される送風路を２つ有し、それら２つの送風路が本体の中心線について対称で、それぞれ反対の方向に吹出し口を有するものである。
【０００７】
これによって、複雑な機構もしくは、感温部材等を使用することなく広角な送風を実現できるとなる。
【発明の効果】
【０００８】
本発明のサーキュレータは、広角に吹出すことができ、効率的に空気を循環させることができる。
【発明を実施するための最良の形態】
【０００９】
第１の発明はクロスフローファンを内包する、スタビライザ及びリアケーシングをから構成される送風路を２つ有し、それら２つの送風路が本体の中心線について対称で、それぞれ反対の方向に吹出し口を有する構成とすることにより、複雑な機構もしくは、感温部材等を使用することなく広角な送風が可能となり、効率的な空気循環を実現することができる。
【００１０】
第２の発明は、特に、第１の発明のサーキュレータにおいて、クロスフローファンと並行であって、送風路外に本体の中心線について対称に２本の蛍光ランプを配設とすることにより、照明器具としての機能することができる。
【００１１】
第３の発明は、特に、第１の発明のサーキュレータにおいて、クロスフローファンと並行であって、送風路外２つのリアガイダの間に一本の蛍光ランプを配設することにより、照明器具としての機能することができる。
【００１２】
第４の発明は、特に、第１〜３のいずれか１つの発明のサーキュレータにおいて、エアコンと連携制御によって、クロスフローファンの回転数、上下羽根、左右羽根の少なくともいずれかを制御するようにすることにより、エアコンの運転状態に合わせた効率的な室内空気循環を行なうことができる。
【００１３】
第５の発明は、特に、第４の発明のサーキュレータにおいて、送風路外に温度センサ配することによって、室内の温度分布を把握し、エアコンと連携制御を行なうことによって、室内の温度ムラを効率的に無くすことができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるサーキュレータの要部断面図を示すものである。
【００１６】
図１において、サーキュレータはブレード１を複数枚配設したクロスフローファン２と、前記クロスフローファン２を内包するスタイビラザ３及びリアガイダ４からなる送風路を２つ有し、それら２つの送風路がサーキュレータ９本体の中心線について対称で、それぞれ反対の方向に吸込み口９ａ、吹出し口９ｂを有している。また、前記送風路の吹出し口９ｂ付近にはクロスフローファン２と左右、上下それぞれの角度を規定する左右羽根５と上下羽根６とから構成されている。
【００１７】
以上のように構成されたサーキュレータについて、以下その動作、作用を説明する。
【００１８】
まず、クロスフローファン２により吸込み口９ａから吸込まれた室内空気は、送風路を通り、吹き出し口９ｂから室内に送り出される。吹き出し方向については、左右羽根および、上下羽根によって規定される。その際、送風路を２つ有していることにより通常の倍の角度に吹出すことが可能となる。
【００１９】
以上のように、本実施の形態において送風路を２つ有することにより、広角な送風が可能となり効率的な空気循環をすることができる。
【００２０】
（実施の形態２）
図２は、本発明の第２の実施の形態のサーキュレータの要部断面図である。
【００２１】
図２において、実施の形態１と同様の構成のサーキュレータにおいて、クロスフローファン２と平行であって送風路外に本体の中心線について対称に２本の蛍光ランプ８を配設して構成されている。
【００２２】
以上のように構成されたサーキュレータについて、以下その動作、作用を説明する。
【００２３】
実施の形態１同様に広角な吹き出しを可能とするサーキュレータにおいて、蛍光灯ランプ８を２本配し、照明機具としての機能を備えたものである。
【００２４】
以上のように、本実施の形態において広角吹き出しのサーキュレータにおいてクロスフローファン２と平行であって送風路外に本体の中心線について対称に２本の蛍光ランプ８を配設することにより、照明器具としての機能を備えることができ、合理的に配置することができ、かつ、取り付けた状態での圧迫感を回避することができる。
【００２５】
（実施の形態３）
図３は、本発明の第３の実施の形態のサーキュレータの要部断面図である。
【００２６】
図３において、実施の形態１と同様の構成のサーキュレータにおいて、クロスフローファン２と平行であって送風路外、２つのリアガイダ４の間に一本の蛍光ランプ８を配設して構成されている。
【００２７】
以上のように構成されたサーキュレータについて、以下その動作、作用を説明する。
【００２８】
実施の形態１同様に広角な吹き出しを可能とするサーキュレータにおいて、蛍光灯ランプ８を１本を配し、照明機具としての機能を備えたものである。
【００２９】
以上のように、本実施の形態において広角吹き出しのサーキュレータにおいてクロスフローファンと平行であって送風路外、２つのリアガイダの間に一本の蛍光ランプ８を配設することにより、照明器具としての機能を備えることができ、２つのリアガイダの間というデッドスペースを有効活用することができ、かつ、取り付けた状態での圧迫感を回避することができる。
【００３０】
（実施の形態４）
図４は、本発明の第４の実施の形態のサーキュレータを居室内に取り付けた状態の斜視図であり、エアコン１０と同じ被空調空間に本発明の実施の形態１〜３記載のいずれかのサーキュレータ９を取り付け、エアコン１０と連携制御を行うものである。
【００３１】
エアコン１０と連携制御することによって、サーキュレータ９のクロスフローファン２の回転数、上下羽根、左右羽根の少なくともいずれかを制御するようにすることにより、エアコン１０の運転状態に合わせた効率的な室内空気循環を行なうことができる。
【００３２】
（実施の形態５）
図５は、本発明の第５の実施の形態のサーキュレータの要部断面図である。
【００３３】
図５において、実施の形態２記載のサーキュレータと同様の構成のサーキュレータにおいて、送風路外に温度センサ１１を配した構成となっている。
【００３４】
以上のように構成されたサーキュレータについて、以下その動作、作用を説明する。
【００３５】
実施の形態１同様に広角な吹き出しを可能とするサーキュレータにおいて、温度センサ１１を配し、室内の温度分布を知ることができる機能を備えたものである。
【００３６】
以上のように、本実施の形態において広角吹き出しのサーキュレータにおいて送風路外に温度センサを配設することにより、室内の温度分布を知ることができ、エアコンと連携制御を行なうことによって、より快適な室内空調を実現することができる。
【産業上の利用可能性】
【００３７】
以上のように、本発明にかかるサーキュレータは広角な吹出しが可能となるので、種々のサーキュレータに適用できる。
【図面の簡単な説明】
【００３８】
【図１】本発明の実施の形態１におけるサーキュレータの要部断面図
【図２】本発明の実施の形態２におけるサーキュレータの要部断面図
【図３】本発明の実施の形態３におけるサーキュレータの要部断面図
【図４】本発明の実施の形態４のサーキュレータの取り付け斜視図
【図５】本発明の実施の形態５におけるサーキュレータの要部断面図
【図６】従来のサーキュレータの要部断面図
【符号の説明】
【００３９】
１  ブレード
２  クロスフローファン
３  スタビライザ
４  リアケーシング
５  上下羽根
６  左右羽根
７  天井面
８  蛍光ランプ
９  サーキュレータ
９ａ  吸込み口
９ｂ  吹き出し口
１０  エアコン
１１  温度センサ
１２  案内羽根
【図１】
2006038356.tif 000003
【図２】
2006038356.tif 000004
【図３】
2006038356.tif 000005
【図４】
2006038356.tif 000006
【図５】
2006038356.tif 000007
【図６】
2006038356.tif 000008